(57)【特許請求の範囲】
【請求項１】
支柱部の両側に腰壁パネルを固定する腰壁パネル固定構造において、隣り合う腰壁パネルの上面側の互いに近接する端部に係合し、上記隣り合う腰壁パネルを上記支柱部の側に引き寄せる上部係合部材を備えており、
上記上部係合部材は、その下部の中央側に、傾斜部を備える凹部を有しており、上記上部係合部材を上記隣り合う腰壁パネルに上方から係合するときに、上記傾斜部が上記腰壁パネルの上面側の端部に点接触し、隣り合う腰壁パネルを上記支柱部の側に引き寄せることができ、
且つ、上記上部係合部材は、上記腰壁パネルの上記上面側の端部に係合する係合片を複数有するとともにこれら係合片を繋ぐ繋ぎ部を有しており、
上記支柱部の上端部には、上記上部係合部材の上記係合片がそれぞれ差し込まれるスリット部が形成されていることを特徴とする腰壁パネル固定構造。
【請求項２】
請求項１に記載の腰壁パネル固定構造において、上記係合片には、当該係合片を部分的に上記スリットの幅よりも厚くする凸部が形成されていることを特徴とする腰壁パネル固定構造。
【請求項３】
請求項１または請求項２に記載の腰壁パネル固定構造において、上記腰壁パネルの上面側の互いに近接する端部に空間部が形成されており、上記上部係合部材の上記中央側の凹部によって端側において凸となる端側凸部が、上記空間部に挿入されることを特徴とする腰壁パネル固定構造。
【請求項４】
請求項３に記載の腰壁パネル固定構造において、上記腰壁パネルの上面側の互いに近接する端部には、上向きに開口する切欠きが形成されており、上記切欠きの下方に上記端側凸部が挿入される上記空間部が形成されることを特徴とする腰壁パネル固定構造。
【請求項５】
請求項１〜請求項４のいずれか１項に記載の腰壁パネル固定構造において、上記上部係合部材は、板部材を折り曲げ形成することで上記係合片を２つ有し、断面が略コ字形状に形成されていることを特徴とする腰壁パネル固定構造。
【請求項６】
請求項１〜請求項５のいずれか１項に記載の腰壁パネル固定構造において、上記支柱部の上端部が、当該支柱部に接合された別部材からなることを特徴とする腰壁パネル固定構造。
【発明の詳細な説明】
【技術分野】
【０００１】
この発明は、支柱部の両側に腰壁パネルを固定する腰壁パネル固定構造に関する。
【背景技術】
【０００２】
特許文献１には、腰壁パネルと、腰壁支柱と、嵌合片とを含む腰壁構造であって、上記腰壁パネルの両側端面の縦方向に溝が形成され、上記腰壁支柱が上記腰壁パネルの両側端面に当接するように立設され、上記腰壁支柱の側面には上記腰壁パネルの溝に嵌合されるように嵌合片が設けられた腰壁構造が開示されている。
【先行技術文献】
【特許文献】
【０００３】
【特許文献１】特開２０１２−１１７３２２号公報
【発明の概要】
【発明が解決しようとする課題】
【０００４】
しかしながら、上記従来の腰壁構造では、上記腰壁支柱の側面に上記腰壁パネルの溝に嵌合される嵌合片が形成されているものの、この嵌合片が嵌合されるだけでは上記腰壁パネルを上記腰壁支柱の側に密着させることができず、隣り合う腰壁パネル間の縦目地の幅が一定しないという欠点がある。
【０００５】
本発明は、上記の事情に鑑み、隣り合う腰壁パネル間の縦目地の幅を一定にすることができる腰壁パネル固定構造を提供することを課題とする。
【課題を解決するための手段】
【０００６】
本発明の腰壁パネル固定構造は、上記の課題を解決するために、支柱部の両側に腰壁パネルを固定する腰壁パネル固定構造において、隣り合う腰壁パネルの上面側の互いに近接する端部に係合し、上記隣り合う腰壁パネルを上記支柱部の側に引き寄せる上部係合部材を備えることを特徴とする。
【０００７】
上記の構成であれば、上部係合部材を隣り合う腰壁パネルの上面側の端部に係合させることで、上記隣り合う腰壁パネルが上記支柱部側に引き寄せられる。このため、上記隣り合う腰壁パネルが上記支柱部に密着し、上記隣り合う腰壁パネル間の縦目地の幅を一定にすることが可能になる。
【０００８】
上記上部係合部材は、その下部の中央側に、傾斜部が互いに対向するように形成された凹部を有しており、上記上部係合部材を上記隣り合う腰壁パネルに上方から係合するときに、各傾斜部が各腰壁パネルの上面側の端部に接触し、隣り合う腰壁パネルを上記支柱部の側に引き寄せることとしてもよい。これによれば、上記上部係合部材を隣り合う腰壁パネルに上方から係合することで、上記隣り合う腰壁パネルを上記支柱部側に引き寄せることができる。
【０００９】
上記腰壁パネルの上面側の互いに近接する端部に空間部が形成されており、上記上部係合部材の上記中央側の凹部によって端側において凸となる端側凸部が、上記空間部に挿入されることとしてもよい。上記端側凸部を上記空間部に挿入する操作は比較的容易であるので、腰壁パネルの設置作業が容易になる。
【００１０】
上記腰壁パネルの上面側の互いに近接する端部には、上向きに開口する切欠きが形成されており、上記切欠きの下方に上記端側凸部が挿入される上記空間部が形成されていてもよい。これによれば、上記切欠きに上記上部係合部材を収容させることができる。
【００１１】
上記上部係合部材は、上記腰壁パネルの上記上面側の端部に係合する係合片を複数有するとともにこれら係合片を繋ぐ繋ぎ部を有していてもよい。複数の係合片を有することで、上記上部係合部材と上記支柱部との係合強度を高めることができる。
【００１２】
上記上部係合部材は、板部材を折り曲げ形成することで上記係合片を２つ有し、断面が略コ字形状に形成されていてもよい。これによれば、上記上部係合部材をプレス加工等により簡単に作製でき、低コスト化を図ることができる。
【００１３】
上記支柱部の上端部には、上記上部係合部材の上記係合片がそれぞれ差し込まれるスリット部が形成されていてもよい。これによれば、上記スリット部によって、上記上部係合部材を支持することができる。
【００１４】
上記係合片には、当該係合片を部分的に上記スリットの幅よりも厚くする凸部が形成されていてもよい。これによれば、上記係合片が上記支柱部から外れる事態を低減できる。
【００１５】
上記支柱部の上端部が、当該支柱部に接合された別部材からなっていてもよい。これによれば、上記別部材に対して上記上部係合部材が係合されるための構造等を形成すればよいので、大きな一体ものの支柱部に直接加工を行うよりも、加工が容易で加工精度も出しやすい。
【発明の効果】
【００１６】
本発明であれば、隣り合う腰壁パネル間の縦目地の幅を一定にすることができる等の諸効果を奏する。
【図面の簡単な説明】
【００１７】
【図１】本発明の実施形態にかかる腰壁パネル固定構造を示した図であり、同図（Ａ）は目地部分を主に示した正面図であり、同図（Ｂ）は同図（Ａ）のＡ−Ａ矢視断面の概略図であり、（Ｃ）は同図（Ａ）のＣ−Ｃ矢視断面の概略図である。
【図２】図１の腰壁パネル固定部材におけるピン部を分解拡大して示した斜視説明図である（縦フレームの突出面部は省略している）。
【図３】図１の腰壁パネル固定構造における支柱部とピン部を分解し拡大して示した説明図である。
【図４】図１の腰壁パネル固定構造の一部を拡大した説明図であり、同図（Ａ）は腰壁パネル固定部材を示した図であり、同図（Ｂ）は図１（Ａ）のＢ−Ｂ矢視断面の概略の拡大図である。
【図５】図１の腰壁パネル固定構造の上部接合箇所を拡大して示した説明図である。
【図６】図１の腰壁パネル固定構造で用いられている柱頭部材を示した図であり、同図（Ａ）は平面図であり、同図（Ｂ）は側面図であり、同図（Ｃ）は正面図である。
【図７】図１の腰壁パネル固定構造における隣り合う腰壁パネルの接合箇所を分解して示した概略の斜視説明図である（縦フレームの突出面部は省略している）。
【図８】図１の腰壁パネル固定構造における隣り合う腰壁パネルの接合箇所を示した概略の斜視説明図である（縦フレームの突出面部は省略している）。
【図９】図１の腰壁パネル固定構造における腰壁パネルの上側の切欠きを説明する説明図である。
【図１０】図１の腰壁パネル固定構造で用いられている上部係合部材を示した図であり、同図（Ａ）は平面図であり、同図（Ｂ）は正面図であり、同図（Ｃ）は側面図である。
【図１１】図１の腰壁パネル固定構造において笠木等を設けた状態の断面を示した概略の図である。
【図１２】図１の腰壁パネル固定構造で用いることができる上部係合部材の概略の斜視図である。
【図１３】本発明の他の実施形態にかかる腰壁パネル固定構造の空間部等を示した概略の斜視図である。
【発明を実施するための形態】
【００１８】
以下、この発明の実施の形態を添付図面に基づいて説明する。
図１に示すように、この実施形態の腰壁パネル固定構造は、一例として、腰壁パネル１と、接合用板材２１の表面に縦配置で支柱部２２が固定された腰壁パネル固定部材２と、Ｈ形鋼からなるバルコニー梁３に接合された梁取合い部材４とを備え、上記腰壁パネル固定部材２における上記接合用板材２１の裏面が上記梁取合い部材４に接合されており、隣り合う腰壁パネル１が、その縦フレーム１１の下部側と中間部と上部側の３箇所で上記支柱部２２に係合されている。
【００１９】
上記梁取合い部材４は、例えば、上記バルコニー梁３の外側の上フランジ３１と下フランジ３２の両方に例えば溶接等によって接合されている。また、上記梁取合い部材４には２列で合計６個のボルト挿通孔が形成されている。そして、上記腰壁パネル固定部材２の接合用板材２１にも２列で合計６個のボルト挿通孔が形成されており、上記ボルト挿通孔に通されたボルト８１にナットを螺合させることで、上記腰壁パネル固定部材２がバルコニー梁３に固定されている。
【００２０】
図２にも示しているように、上記支柱部２２の下部には、当該支柱部２２の両面から突出するピン部２２ｂが設けられている。そして、上記腰壁パネル１の縦フレーム１１の下端には下向きに開口する切欠き１１ａが形成されている。上記隣り合う腰壁パネル１の上記切欠き１１ａに上記ピン部２２ｂが係合する。
【００２１】
図３に示しているように、上記支柱部２２の下部には貫通螺子孔２２ｃが形成されており、この貫通螺子孔２２ｃに頭無しボルトが螺合される。この頭無しボルトにより、上記支柱部２２の両面に突出する上記ピン部２２ｂが形成される。
【００２２】
また、上記支柱部２２の中間部にはボルト挿通孔２２ａが形成されている。このボルト挿通孔２２ａに挿通されたボルト８２が上記隣り合う腰壁パネル１の縦フレーム１１に形成されたボルト挿通孔にも通され、当該ボルト８２の共縫い連結によって上記隣り合う腰壁パネル１が上記支柱部２２に固定される。
【００２３】
図４（Ａ）にも示すように、上記支柱部２２と上記腰壁パネル１との固定のための上記ボルト８２が設けられる上記縦フレーム１１の箇所と、上記切欠き１１ａが形成される上記縦フレーム１１の箇所には、突出面部１１ｃが形成されている。また、図５および図９に示すように、上記腰壁パネル１の縦フレーム１１の上端には上向きに開口する切欠き１１ｂが形成されている。上記切欠き１１ｂが形成される上記縦フレーム１１の上端部の箇所にも、突出面部１１ｃが形成されている。上記突出面部１１ｃは例えばプレス加工によって形成することができる。
【００２４】
上記支柱部２２の上端部は、別部材の柱頭部材２２１によって形成されている。上記柱頭部材２２１は、図６にも示すように、金属製の板部材が折り曲げられて２つの対向片が形成された断面略コ字形状を有しており、開口端側では上記２つの対向片は上記支柱部２２の板厚と同程度の間隔を有し、上記対向片の繋ぎ部が形成される上部側では、上記２つの対向片は上記支柱部２２の板厚よりも狭い間隔で形成されている。そして、上記柱頭部材２２１の開口端側の縁部と上記支柱部２２との境界部において溶接が行われ、上記柱頭部材２２１が上記支柱部２２に固定されている。
【００２５】
上記柱頭部材２２１の対向片の上部側に、上記腰壁パネル１の上端部における上記突出面部１１ｃが接触する。また、上記柱頭部材２２１の上部側には、各対向片を繋ぐ繋ぎ部から上記対向片の途中位置まで切り込まれたスリット２２１ａが２本形成されている。上記２本のスリット２２１ａの間隔は、上記縦フレーム１１の切欠き１１ｂの幅寸法以内とされる。また、上記スリット２２１ａは、上記腰壁パネル１を並べる方向と平行に形成される。
【００２６】
図７および図８に示すように、上記上部係合部材５は、上記支柱部２２および上記隣り合う腰壁パネル１の上面側の端部に上方から係合する。また、上記腰壁パネル１の上面側の互いに近接する端部には、空間部１ａが形成されている。例えば、上記腰壁パネル１を構成する縦フレーム１１と横フレーム１２の接続箇所において上記空間部１ａが形成されている。
【００２７】
上記上部係合部材５は、図１０（Ａ）、図１０（Ｂ）および図１０（Ｃ）に示すように、その下部の中央側に台形状の凹部５１を有しており、この凹部５１において傾斜部５ａが対向している。上記傾斜部５ａの傾斜方向は、上記腰壁パネル１を並べる方向と平行な鉛直面内で、上記支柱部２２に近づく方向に上向きとなっている。換言すれば、対向する傾斜部５ａの間隔は、上記腰壁パネル１を並べる方向と平行な鉛直面内で、上側ほど狭くなるようにしている。上記上部係合部材５が上記支柱部２２および上記隣り合う腰壁パネル１に上方から係合するときに、各傾斜部５ａが各腰壁パネル１の上面側の端部に接触し、隣り合う腰壁パネル１を上記支柱部２２側に引き寄せる。また、上記上部係合部材５には、上記中央側の凹部５１によって端側において凸となる端側凸部５２、５２が形成されており、この端側凸部５２、５２が上記空間部１ａに上側から挿入される。上記端側凸部５２の長さは、上記縦フレーム１１の切欠き１１ｂの深さよりも長い。この例では、上記腰壁パネル１の上面側の互いに近接する端部に形成された上記切欠き１１ｂの下方に上記空間部１ａが存在し、この空間部１ａに上記端側凸部５２が挿入され、上記傾斜部５ａが上記腰壁パネル１の互いに近接する端部における上記切欠き１１ｂの下側の部分に接触し、上記隣り合う腰壁パネル１を引き寄せることになる。
【００２８】
また、上記上部係合部材５は、上記腰壁パネル１の上面側の端部に係合する係合片５１１を複数有するとともに，これら係合片５１１を繋ぐ繋ぎ部５１２を有する。例えば、上記上部係合部材５は、金属製の板部材を折り曲げることで上記係合片５１１を２つ有し、断面が略コ字形状に形成される。また、上部係合部材５の各係合片５１１の中央側の部分は、上記柱頭部材２２１の各スリット２２１ａに差し込まれる。この差し込み状態において、上記上部係合部材５の繋ぎ部５１２の上端面を、上記横フレーム１２の上端面と略面一にすることもでき、これによれば、後述する頭繋ぎ材６２との干渉を生じさせないようにできる。
【００２９】
また、上記上部係合部材５の各係合片５１１には、当該係合片５１１を部分的に上記スリット２２１ａの幅よりも厚くする凸部５１１ａが形成されている。上記凸部５１１ａは、上記端側凸部５２の上方に形成されており、図５に示したように、上記差し込み状態において、上記スリット２２１ａを通り抜け、上記柱頭部材２２１の対向片の間の空間に位置することができる。
【００３０】
また、図１１に示すように、上記腰壁パネル１には、腰壁面材６１が取り付けられ、また、上記腰壁パネル１の上部には頭繋ぎ材６２が取り付けられ、この頭繋ぎ材６２上には笠木６３が取り付けられる。上記頭繋ぎ材６２は、締結部材（ボルトおよびナット）６４によって隣り合う腰壁パネル１の横フレーム１２に固定され、この固定によって隣り合う腰壁パネル１は一層強固に接合され、また、上記上部係合部材５の外れが防止される。
【００３１】
上記の構成であれば、上部係合部材５を隣り合う腰壁パネル１の上面側の端部に係合させることで、上記隣り合う腰壁パネル１が上記支柱部２２側に引き寄せられる。このため、上記隣り合う腰壁パネル１が上記支柱部２２に密着し、上記隣り合う腰壁パネル１間の縦目地の幅を一定にすることが可能になる。また、上記傾斜部５ａによる比較的簡単な構造で隣り合う腰壁パネル１を上記支柱部２２側に引き寄せることができる。
【００３２】
上記上部係合部材５は、その下部の中央側に、上記傾斜部５ａが互いに対向するように形成された凹部５１を有しており、上記上部係合部材５を上記隣り合う腰壁パネル１に上方から係合するときに、各傾斜部５ａが各腰壁パネル１の上面側の端部に接触し、隣り合う腰壁パネル１を上記支柱部２２側に引き寄せてもよい。これによれば、上記上部係合部材５を隣り合う腰壁パネル１に上方から係合することで、上記隣り合う腰壁パネル１を上記支柱部２２側に引き寄せることができる。
【００３３】
上記腰壁パネル１の上面側の互いに近接する端部に空間部１ａが形成されており、上記上部係合部材５の上記中央側の凹部５１によって端側において凸となる端側凸部５２が、上記空間部１ａに挿入されることとしてもよい。この例では、上部空間部１ａにおける上記切欠き１１ｂの下端よりも下側となる箇所に上記端側凸部５２が挿入される。すなわち、上記腰壁パネル１の上面側の互いに近接する端部に形成された上記切欠き１１ｂの下方に存在する上記空間部１ａに、上記端側凸部５２が挿入されることとしてもよい。上記端側凸部５２を上記空間部１ａに挿入する操作は比較的容易であるので、腰壁パネルの設置作業が容易になる。また、上記切欠き１１ｂが形成されていると、上記切欠き１１ｂに上記上部係合部材５の係合片５１１を収容させることができ、上記繋ぎ部５１２の上端面を、上記横フレーム１２の上端面と略面一にすることが容易になる。
【００３４】
上記上部係合部材５は、上記腰壁パネル１の上記上面側の端部に係合する係合片５１１を複数有するとともにこれら係合片５１１を繋ぐ繋ぎ部５１２を有していてもよい。複数の係合片５１１を有することで、上記上部係合部材５と上記支柱部２２との係合強度を高めることができる。
【００３５】
上記上部係合部材５は、板部材を折り曲げ形成することで上記係合片５１１を２つ有し、断面が略コ字形状に形成されていてもよい。これによれば、上記上部係合部材５をプレス加工等により簡単に作製でき、低コスト化を図ることができる。
【００３６】
上記支柱部２２の上端部には、上記上部係合部材５の上記係合片５１１がそれぞれ差し込まれるスリット２２１ａが形成されていてもよい。これによれば、上記スリット２２１ａによって上記上部係合部材５を支持できるので、隣り合う腰壁パネル１を直線に並べやすくなる。
【００３７】
なお、上記上部係合部材５をブロック状に形成し、上記スリットを隙間幅の広い切欠き状に形成してもよい。また、図１２に示す上部係合部材５Ａを用いることもできる。この上部係合部材５Ａは、上記傾斜部５ａに代えて一対の板バネ押圧部５０１を備えている。上記板バネ押圧部５０１を隣り合う腰壁パネル１の上面側の互いに近接する端部に係合すると、上記板バネ押圧部５０１のバネ力で、上記隣り合う腰壁パネル１を上記支柱部２２側に引き寄せることができる。また、上部係合部材５Ａを用いると、上記スリット２２１ａや切欠き１１ｂを不要にすることも可能である。また、上記板バネ押圧部５０１の内面側（縦フレーム１１に接する側）に凸部５０２を形成するとともに、上記縦フレーム１１に上記凸部５０２が嵌まる凹部を形成することにより、隣り合う腰壁パネル１を直線に並べて通りを出すことも可能である。
【００３８】
上記係合片５１１には、当該係合片５１１を部分的に上記スリット２２１ａの幅よりも厚くする凸部５１１ａが形成されていてもよく、これによれば、上記係合片５１１が上記支柱部２２から外れる事態を低減できる。また、上記凸部５１１ａが上記スリット２２１ａを通り抜けて上記柱頭部材２２１の対向片の間の空間に位置するようにすると、上記上部係合部材５を設計上の位置に簡単に位置させることができる。
【００３９】
上記支柱部２２の上端部は、別部材の柱頭部材２２１によって形成されていてもよく、これによれば、上記柱頭部材２２１に対して上記上部係合部材５が係合されるための構造等を形成すればよいので、大きな一体ものの支柱部２２に直接加工を行うよりも、加工が容易で加工精度も出しやすい。
【００４０】
また、図１３に示すように、上記腰壁パネル１は、本体部１３と溝形鋼１４とからなる構造を有するものでもよい。例えば、上記本体部１３は軽量気泡コンクリートからなり、上記溝形鋼１４は軽量溝形鋼からなる。上記腰壁パネル１の上面側の互いに近接する端部となる側の上記本体部１３の上角部の中央側には、凹部１３ａが形成されている。そして、上記溝形鋼１４は隣り合う腰壁パネル１の互いに近接する端面側に設けられており、当該溝形鋼１４の上端を上記本体部１３の上端に至らせないことで、端面側に凹部１３ａの上側部分が露呈し、上記切欠き１１ａに相当する切欠きが形成されている。また、上記凹部１３ａが上記溝形鋼１４の上端よりも下に深く形成されていることにより空間部１ａが形成され、この空間部１ａに上記上部係合部材５の端側凸部５２を挿入することができる。そして、上記腰壁パネル１の互いに近接する端部における上記切欠き１１ｂの下側部分となる上記溝形鋼１４の上端部に接触し、上記隣り合う腰壁パネル１を引き寄せることになる。
【００４１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４２】
１        ：腰壁パネル
１ａ      ：空間部
２        ：腰壁パネル固定部材
３        ：バルコニー梁
４        ：梁取合い部材
５        ：上部係合部材
５Ａ      ：上部係合部材
５ａ      ：傾斜部
１１      ：縦フレーム
１１ａ    ：切欠き
１１ｂ    ：切欠き
１１ｃ    ：突出面部
１２      ：横フレーム
２１      ：接合用板材
２２      ：支柱部
２２ａ    ：ボルト挿通孔
２２ｂ    ：ピン部
２２ｃ    ：貫通螺子孔
３１      ：上フランジ
３２      ：下フランジ
５１      ：凹部
５２      ：端側凸部
６１      ：腰壁面材
６２      ：頭繋ぎ材
６３      ：笠木
８１      ：ボルト
８２      ：ボルト
２２１    ：柱頭部材
２２１ａ  ：スリット
５０１    ：板バネ押圧部
５０２    ：凸部
５１１    ：係合片
５１１ａ  ：凸部
５１２    ：繋ぎ部
【図１】
0006717571.tif 000002
【図２】
0006717571.tif 000003
【図３】
0006717571.tif 000004
【図４】
0006717571.tif 000005
【図５】
0006717571.tif 000006
【図６】
0006717571.tif 000007
【図７】
0006717571.tif 000008
【図８】
0006717571.tif 000009
【図９】
0006717571.tif 000010
【図１０】
0006717571.tif 000011
【図１１】
0006717571.tif 000012
【図１２】
0006717571.tif 000013
【図１３】
0006717571.tif 000014